(57)【要約】【課題】被梱包物を圧縮した状態のまま梱包テープで梱包できるようにすること。【解決手段】本発明では、被梱包物を収容するための収容ケーシングの上部に前記被梱包物を押圧することによって圧縮する押圧体を昇降自在に設けるとともに、前記被梱包物を梱包する梱包テープを前記収容ケーシングの外方側から前記被梱包物の外周に沿って這わせることができるようにするためのスリットを前記収容ケーシングの側壁に形成した圧縮梱包機において、前記押圧体は、前記被梱包物を押圧する押圧部よりも上方位置に前記梱包テープを挿通させるためのテープ挿通部を形成することにした。【選択図】図４
2007190568.tif 000002
【特許請求の範囲】
【請求項１】
被梱包物を収容するための収容ケーシングの上部に前記被梱包物を押圧することによって圧縮する押圧体を昇降自在に設けるとともに、前記被梱包物を梱包する梱包テープを前記収容ケーシングの外方側から前記被梱包物の外周に沿って這わせることができるようにするためのスリットを前記収容ケーシングの側壁に形成した圧縮梱包機において、
前記押圧体は、前記被梱包物を押圧する押圧部よりも上方位置に前記梱包テープを挿通させるためのテープ挿通部を形成したことを特徴とする圧縮梱包機。
【請求項２】
前記テープ挿通部を前記スリットに連通させたことを特徴とする請求項１に記載の圧縮梱包機。
【請求項３】
前記テープ挿通部を傾斜状に形成したことを特徴とする請求項１又は請求項２に記載の圧縮梱包機。
【請求項４】
前記テープ挿通部を前後方向及び左右方向に向けて交差状に形成したことを特徴とする請求項１〜請求項３のいずれかに記載の圧縮梱包機。
【発明の詳細な説明】
【技術分野】
【０００１】
本発明は、被梱包物を圧縮して収容するとともに梱包テープを用いて被梱包物を梱包できるようにした圧縮梱包機に関するものである。
【背景技術】
【０００２】
従来より、運送コストの低減を図るために圧縮梱包機を用いて廃棄物などの被梱包物を圧縮して梱包した後に運送するようにしていた。
【０００３】
この圧縮梱包機としては、略矩形箱型状の収容ケーシングの上部に矩形板状の押圧体を昇降自在に設けて、収容ケーシングの内部に被梱包物を収容した状態で押圧体を降下させ、押圧体によって被梱包物を押圧することによって被梱包物を圧縮するように構成していた。
【０００４】
そして、従来の圧縮梱包機では、収容ケーシングの側壁に上下方向に伸延させたスリットを形成しており、被梱包物を梱包するための梱包テープを収容ケーシングの内部に被梱包物とともに予め収容しておき、押圧体を上昇させた状態で梱包テープを被梱包物に沿って這わせ、その後、スリットを利用して梱包テープを被梱包物の外周部で締結できるようにしていた（たとえば、特許文献１参照。）。
【特許文献１】特開２００５−６６６２３号公報
【発明の開示】
【発明が解決しようとする課題】
【０００５】
ところが、上記従来の圧縮梱包機は、押圧体を降下させて被梱包物を圧縮した状態では、押圧体と被梱包物とが密着していたために、被梱包物の上部に沿って梱包テープを這わせることができなかった。
【０００６】
そのため、上記従来の圧縮梱包機では、梱包テープを締結する時に、押圧体を上昇させることによって押圧体と被梱包物との間に間隙を形成した後に、押圧体と被梱包物との間隙を利用して被梱包物の上部に梱包テープを這わせ、その後、スリットを利用して梱包テープを締結するようにしていた。
【０００７】
このように、上記従来の圧縮梱包機では、押圧体を上昇させた状態で被梱包物を梱包せざるを得なかったために、押圧体の上昇に伴って圧縮された被梱包物が膨張してしまい、被梱包物の容積が本来の圧縮された状態の容積よりも増大してしまっていた。
【課題を解決するための手段】
【０００８】
そこで、請求項１に係る本発明では、被梱包物を収容するための収容ケーシングの上部に前記被梱包物を押圧することによって圧縮する押圧体を昇降自在に設けるとともに、前記被梱包物を梱包する梱包テープを前記収容ケーシングの外方側から前記被梱包物の外周に沿って這わせることができるようにするためのスリットを前記収容ケーシングの側壁に形成した圧縮梱包機において、前記押圧体は、前記被梱包物を押圧する押圧部よりも上方位置に前記梱包テープを挿通させるためのテープ挿通部を形成することにした。
【０００９】
また、請求項２に係る本発明では、前記請求項１に係る本発明において、前記テープ挿通部を前記スリットに連通させることにした。
【００１０】
また、請求項３に係る本発明では、前記請求項１又は請求項２に係る本発明において、前記テープ挿通部を傾斜状に形成することにした。
【００１１】
また、請求項４に係る本発明では、前記請求項１〜請求項３のいずれかに係る本発明において、前記テープ挿通部を前後方向及び左右方向に向けて交差状に形成することにした。
【発明の効果】
【００１２】
そして、本発明では、以下に記載する効果を奏する。
【００１３】
すなわち、請求項１に係る本発明では、被梱包物を収容するための収容ケーシングの上部に被梱包物を押圧することによって圧縮する押圧体を昇降自在に設けるとともに、被梱包物を梱包する梱包テープを収容ケーシングの外方側から被梱包物の外周に沿って這わせることができるようにするためのスリットを収容ケーシングの側壁に形成した圧縮梱包機において、押圧体は、被梱包物を押圧する押圧部よりも上方位置に梱包テープを挿通させるためのテープ挿通部を形成することにしているために、押圧体によって被梱包物を押圧して圧縮した状態でも被梱包物と押圧体との間にテープ挿通部が形成されることになり、このテープ挿通部を利用して被梱包物を圧縮した状態のまま梱包テープで被梱包物を梱包することができるので、梱包テープで梱包した被梱包物の容積を従来よりも少なくすることができる。
【００１４】
また、請求項２に係る本発明では、テープ挿通部をスリットに連通させることにしているために、テープ挿通部を挿通させた梱包テープをスリットから収容ケーシングの外方へ引き出すことができ、スリットを利用して梱包テープを締結することができるので、被梱包物の梱包作業を容易なものとすることができる。
【００１５】
また、請求項３に係る本発明では、テープ挿通部を傾斜状に形成することにしているために、傾斜状のテープ挿通部に沿って梱包テープを容易に挿通させることができ、これによっても被梱包物の梱包作業を容易なものとすることができる。
【００１６】
また、請求項４に係る本発明では、テープ挿通部を前後方向及び左右方向に向けて交差状に形成することにしているために、被梱包物を前後方向及び左右方向に向けて交差状に梱包テープで梱包することができ、被梱包物を強固に梱包することができる。
【発明を実施するための最良の形態】
【００１７】
以下に、本発明に係る圧縮梱包機の具体的な構成について図面を参照しながら説明する。
【００１８】
本発明に係る圧縮梱包機１は、図１〜図６に示すように、被梱包物２を収容するための略矩形箱型状の収容ケーシング３の上部に、収容した被梱包物２を押圧することによって圧縮するための圧縮機構４を取付けた構成となっている。
【００１９】
この圧縮梱包機１を構成する収容ケーシング３と圧縮機構４の具体的な構造について以下に説明する。
【００２０】
まず、収容ケーシング３の構造について説明すると、収容ケーシング３は、矩形板状の底板５の四隅下部にキャスター６を取付けるとともに、底板５の後端上部及び左右端上部に板状の後側壁７と左右側壁8,9をそれぞれ取付け、さらには、底板５の前端上部に断面略Ｌ字状の開閉支持体10を回動軸11によって前後回動自在に取付けている。
【００２１】
この収容ケーシング３の後側壁７には、上下方向に向けて伸延させた左右一対のスリット12,13を形成している。このスリット12,13は、下端部を中途部及び上端部よりも幅広に形成している。そして、このスリット12,13を利用して被梱包物２の後方外周に沿って梱包テープ14を這わせることができるようにしている。また、スリット12,13の下端の幅広部分を利用して収容ケーシング３の内部に後方から手を挿入することができるようにしている。
【００２２】
また、収容ケーシング３の左右側壁8,9には、上下方向に向けて伸延させたスリット15,16をそれぞれ形成している。このスリット15,16も、下端部を中途部及び上端部よりも幅広に形成している。そして、このスリット15,16を利用して被梱包物２の左右側方外周に沿って梱包テープ14を這わせることができるようにしている。また、スリット15,16の下端の幅広部分を利用して収容ケーシング３の内部に左右側方から手を挿入することができるようにしている。
【００２３】
また、収容ケーシング３の開閉支持体10は、矩形板状の支持板17の前端部に矩形板状の前側壁18を取付けるとともに、その連結部（支持板17の前端部、前側壁18の下端部）に円筒状の軸支持管19を取付けており、この軸支持管19の中空部に回動軸11を挿通している。
【００２４】
この開閉支持体10は、前側壁18に上下方向に向けて伸延させた左右一対のスリット20,21を形成している。このスリット20,21も、下端部を中途部及び上端部よりも幅広に形成している。そして、このスリット20,21を利用して被梱包物２の前方外周に沿って梱包テープ14を這わせることができるようにしている。また、スリット20,21の下端の幅広部分を利用して収容ケーシング３の内部に前方から手を挿入することができるようにしている。
【００２５】
また、開閉支持体10は、前側壁18の前面左右端上部に略コ字状の把持体22,23を取付けている。この把持体22,23は、開閉支持体10を前方に向けて回動して開いた状態において脚体として機能するようにしている（図６参照。）。
【００２６】
また、開閉支持体10は、前側壁18の前面中央上部にフック24を上下回動自在に取付けている。このフック24は、後述する圧縮機構４の操作ハンドル31を固定することができるようにしている。
【００２７】
さらに、開閉支持体10は、支持板17の上面に梱包テープ14を係止するための円板状の係止片25を取付けている。この係止片25は、後側壁７や左右側壁8,9や前側壁18に形成したスリット12,13,15,16,20,21の近傍に配置しており、図７に示すように、各スリット12,13,15,16,20,21の下端幅広部分から手を挿入することによって梱包テープ14を係止片25に容易に係止することができるようにしている。
【００２８】
次に、圧縮機構４の構造について説明すると、圧縮機構４は、収容ケーシング３の左右側壁8,9の内側後方上部に略箱型状の押圧体26を上下回動自在に軸支するとともに、左右側壁8,9の内側後方上端部に左右一対のＬアングル状の押圧アーム27,28を上下回動自在に軸支し、これら押圧体26の中途上部と押圧アーム27,28の中途部との間にリンク29,29を回動自在に架設し、さらには、押圧体26の前端上部と押圧アーム27,28の中途部との間にスプリング30,30を架設している。
【００２９】
また、圧縮機構４は、押圧アーム27,28の前端部に操作ハンドル31を取付けており、この操作ハンドル31の中途下部には、前側壁18の上端部に当接する左右一対の当接体32,32を取付けている。
【００３０】
この圧縮機構４の押圧体26は、図８に示すように、左右一対の略台形板状の左右支持板33,34の下端部間に断面Ｌ字状の押圧板35を前後に間隔をあけて前低後高の傾斜状に取付けるとともに、左右支持板33,34の前端上部間に連結板36を取付けている。ここで、押圧体26は、図４に示すように、押圧板35の下端部で被梱包物２を押圧するようになっており、この押圧板35の下端部が押圧体26の押圧部37として機能することになる。
【００３１】
そして、押圧体26は、左右支持板33,34の略中央下部に切欠38,39をそれぞれ形成するとともに、この切欠38,39の前後に押圧板35を間隔をあけて配置しており、これにより、押圧体26の押圧部37（押圧板35の下端部）よりも上方位置に押圧体26で被梱包物２を押圧圧縮した状態で被梱包物２の上面に沿って梱包テープ14を挿通させることができる左右方向に向けて伸延するテープ挿通部40を形成している。
【００３２】
このテープ挿通部40は、出入口となる切欠38,39と左右側壁8,9に形成したスリット15,16とを重なり合う位置に形成することによって、収容ケーシング３の左右側部においてスリット15,16に連通させている。
【００３３】
また、押圧体26は、左右支持板33,34に前低後高の傾斜状に取付けた各押圧板35の下部に左右一対の切欠41,42を形成しており、これにより、押圧体26の押圧部37（押圧板35の下端部）よりも上方位置に押圧体26で被梱包物２を押圧圧縮した状態で被梱包物２の上面に沿って梱包テープ14を挿通させることができる前後方向に向けて前低後高の傾斜状に伸延する左右一対のテープ挿通部43,44を形成している。
【００３４】
このテープ挿通部43,44も、出入口となる前後端部の切欠41,42と前後側壁18,7に形成したスリット12,13,20,21とを重なり合う位置に形成することによって、収容ケーシング３の前後側部においてスリット12,13,20,21に連通させている。
【００３５】
圧縮梱包機１は、以上に説明したように構成しており、使用に際しては、まず、図７に示すように、開閉支持体10の支持板17に設けた係止片25に予め梱包テープ14を係止しておき、その後、開閉支持体10の上部に被梱包物２を収容し、被梱包物２がある程度溜まった時に、図４に示すように、操作ハンドル31を操作することによって被梱包物２の上部に向けて押圧体26を降下させ、これにより、押圧体26で被梱包物２を押圧して被梱包物２を圧縮する。
【００３６】
次に、押圧体26で被梱包物２を押圧圧縮した状態のまま、スリット12,13,15,16,20,21を利用して梱包テープ14を被梱包物２の外周に沿って這わせるとともに、テープ挿通部40,43,44を利用して梱包テープ14を被梱包物２の上部に沿って這わせ、その後、スリット12,13,15,16,20,21を利用して梱包テープ14を締結する。
【００３７】
次に、図５に示すように、操作ハンドル31を操作することによって押圧体26を上昇させ、その後、図６に示すように、開閉支持体10を前方に向けて回動することによって倒伏させ、開閉支持体10から被梱包物２を取出す。
【００３８】
このようにして、上記圧縮梱包機１では、被梱包物２を圧縮した状態で収容するとともに、被梱包物２を圧縮した状態のまま梱包テープ14を用いて梱包することができるようにしている。
【００３９】
以上に説明したように、上記圧縮梱包機１では、被梱包物２を収容するための収容ケーシング３の上部に被梱包物２を押圧することによって圧縮する押圧体26を昇降自在に設けるとともに、被梱包物２を梱包する梱包テープ14を収容ケーシング３の外方側から被梱包物２の外周に沿って這わせることができるようにするためのスリット12,13,15,16,20,21を収容ケーシング３の側壁7,8,9,18に形成している。
【００４０】
しかも、上記圧縮梱包機１では、押圧体26に形成した被梱包物２を押圧する押圧部37よりも上方位置に梱包テープ14を挿通させるためのテープ挿通部40,43,44を形成している。
【００４１】
これにより、上記圧縮梱包機１では、押圧体26によって被梱包物２を押圧して圧縮した状態でも被梱包物２と押圧体26の押圧部37とが密着しておらず、被梱包物２と押圧体26の押圧部37との間にテープ挿通部40,43,44が形成される。
【００４２】
そのため、上記圧縮梱包機１では、押圧体26によって被梱包物２を押圧して圧縮した状態でもテープ挿通部40,43,44を利用して被梱包物２を圧縮した状態のまま梱包テープ14で被梱包物２を梱包することができ、梱包テープ14で梱包した被梱包物２の容積を従来よりも少なくすることができる。これにより、被梱包物２の格納に要するスペースを低減することができるとともに、被梱包物２の運送コストを低減することができる。
【００４３】
特に、上記圧縮梱包機１では、テープ挿通部40,43,44をスリット12,13,15,16,20,21に連通させている。
【００４４】
そのため、上記圧縮梱包機１では、テープ挿通部40,43,44を挿通させた梱包テープ14をスリット12,13,15,16,20,21から収容ケーシング３の外方へ容易に引き出すことができ、スリット12,13,15,16,20,21を利用して梱包テープ14を締結することができるので、被梱包物２の梱包作業を容易なものとすることができる。
【００４５】
また、上記圧縮梱包機１では、テープ挿通部43,44を傾斜状に形成しているために、傾斜状のテープ挿通部43,44に沿って梱包テープ14を容易に挿通させることができ、これによっても被梱包物２の梱包作業を容易なものとすることができる。
【００４６】
さらに、上記圧縮梱包機１では、テープ挿通部40,43,44を前後方向及び左右方向に向けて交差状に形成しているために、被梱包物２を前後方向及び左右方向に向けて交差状に梱包テープ14で梱包することができ、被梱包物２を強固に梱包することができる。
【図面の簡単な説明】
【００４７】
【図１】本発明に係る圧縮梱包機を示す正面図。
【図２】同左側面図。
【図３】同平面図。
【図４】同側面断面図（押圧体を降下させた状態）。
【図５】同側面断面図（押圧体を上昇させた状態）。
【図６】同側面断面図（開閉支持体を開放させた状態）。
【図７】開閉支持体を示す平面図。
【図８】押圧体を示す斜視図。
【符号の説明】
【００４８】
１  圧縮梱包機                          ２  被梱包物
３  収容ケーシング                      ４  圧縮機構
５  底板                                ６  キャスター
７  後側壁                              8,9  左右側壁
10  開閉支持体                          11  回動軸
12,13  スリット                         14  梱包テープ
15,16  スリット                         17  支持板
18  前側壁                              19  軸支持管
20,21  スリット                         22,23  把持体
24  フック                              25  係止片
26  押圧体                              27,28  押圧アーム
29  リンク                              30  スプリング
31  操作ハンドル                        32  当接体
33,34  左右支持板                       35  押圧板
36  連結板                              37  押圧部
38,39  切欠                             40  テープ挿通部
41,42  切欠                             43,44  テープ挿通部
【図１】
2007190568.tif 000003
【図２】
2007190568.tif 000004
【図３】
2007190568.tif 000005
【図４】
2007190568.tif 000006
【図５】
2007190568.tif 000007
【図６】
2007190568.tif 000008
【図７】
2007190568.tif 000009
【図８】
2007190568.tif 000010